(57)【特許請求の範囲】
【請求項１】
主根を形成する根物作物の養液栽培システムであって、
養液を貯留する栽培槽と、
該栽培槽内に略鉛直方向に形成され、上端開口部に植物体を設置する一又は複数の筒状部と、
前記栽培槽内の養液の水位を変動させる水位変動手段と、を備え、
長さが前記主根よりも長く設定された前記筒状部を用いて、根部を前記筒状部の筒内で伸長させる養液栽培システム。
【請求項２】
前記栽培槽に定植構造体が設置され、
前記筒状部が、前記定植構造体に設けられた貫通部に筒状体を挿嵌することにより、若しくは前記定植構造体に略鉛直方向の貫通孔を設けることにより形成された請求項１記載の養液栽培システム。
【請求項３】
前記定植構造体が前記養液に対して浮遊する軽量部材で形成され、
該定植構造体を下方に移動させることにより、養液の水位を変動させる前記水位変動手段を備えた請求項２記載の養液栽培システム。
【請求項４】
前記定植構造体を下方に移動させる手段として、下記（１）又は（２）のいずれかの構成を備えた請求項３記載の養液栽培システム。
（１）線状部材を前記定植構造体に張架し、該線状部材の両端を前記栽培槽の略対面する位置に固定するとともに、前記線状部材の少なくとも一端に巻き取り手段を設置し、前記線状部材を巻き取ることにより前記定植構造体を下方に移動させる構成。
（２）略水平方向に形成された押し下げ部材と、該押し下げ部材を上下へ移動させる昇降手段とを備え、前記昇降手段で前記押し下げ部材を下方へ移動させることにより、前記押し下げ部材が前記定植構造体を押し下げる構成。
【請求項５】
前記筒状部の上端開口部に延設する内面略筒状の延長部材を設置することにより、若しくは前記筒状体を長いものと交換することにより、前記筒状部の長さを延長できる構成を備えた請求項２〜４のいずれか一項記載の養液栽培システム。
【請求項６】
前記栽培槽内に、所定の容積を有する充填部材を設置した請求項１〜５のいずれか一項記載の養液栽培システム。
【請求項７】
主根を形成する根物作物の養液栽培方法であって、
養液を貯留する栽培槽内に一又は複数の筒状部を略鉛直方向に形成し、
該筒状部の上端開口部に植物体を設置し、
前記筒状部の長さを前記主根よりも長く設定して根部が該筒状部内を伸長するようにし、
前記栽培槽内の養液の水位を変動させ、間欠的に根部に乾燥ストレスを与える養液栽培方法。
【請求項８】
前記栽培槽に定植構造体を設置し、
前記筒状部を、前記定植構造体に設けられた貫通部に筒状体を挿嵌することにより、若しくは前記定植構造体に略鉛直方向の貫通孔を設けることにより形成する請求項７記載の養液栽培方法。
【請求項９】
前記定植構造体を、前記養液に対して浮遊する軽量部材で形成し、
該定植構造体を下方に移動させることにより、養液の水位を変動させる請求項８記載の養液栽培方法。
【請求項１０】
下記（１）又は（２）のいずれかの手段により、前記定植構造体を下方に移動させる請求項９記載の養液栽培方法。
（１）線状部材を前記定植構造体に張架し、該線状部材の両端を前記栽培槽の略対面する位置に固定するとともに、前記線状部材の少なくとも一端に巻き取り手段を設置し、前記線状部材を巻き取る。
（２）略水平方向に形成された押し下げ部材と、該押し下げ部材を上下へ移動させる昇降手段とを備え、前記昇降手段で前記押し下げ部材を下方へ移動させることにより、前記押し下げ部材が前記定植構造体を押し下げる。
【請求項１１】
前記筒状部の長さを延長して養液栽培を行う工程を含む請求項７〜１０のいずれか一項記載の養液栽培方法。
【発明の詳細な説明】
【技術分野】
【０００１】
本発明は、養液を貯留する栽培槽と、栽培槽内に略鉛直方向に形成され、上端開口部に植物体を設置する一又は複数の筒状部と、栽培槽内の養液の水位を変動させる水位変動手段とを備えた根物作物の養液栽培システム、及び、同様の養液栽培方法などに関連する。
【背景技術】
【０００２】
農作物を自然の気象条件下で栽培する露地栽培に対し、温室・ビニールハウスなど、人工的な施設内で栽培する施設栽培が広く普及している。また、近年、究極的な施設栽培として、閉鎖空間又は半閉鎖空間内で、光・水・栄養など、植物の生育環境を制御して栽培する植物工場が脚光を浴びている。
【０００３】
植物工場を含め、施設栽培には、天候の影響が少なく安定的な生産が可能である、収穫・出荷時期を調整できる、などの利点がある。加えて、植物工場での栽培には、病原菌・害虫の侵入がないため、無農薬生産が可能であるという利点もある。
【０００４】
施設栽培では、農作物の種類などに応じて、土耕栽培、養液土耕、養液栽培などが行われている。このうち、養液栽培は、土壌を用いずに、灌水と施肥を養液で行い、農作物を育てる方法であり、培地を用いない水耕栽培、培地を用いた固形培地耕などに分類される。水耕栽培は、土壌・固形培地などを用いずに、養液で栽培する方法であり、固形培地耕は、ロックウールなど、根の支持に土の代わりとなる固形培地を用いて、養液で栽培する方法である。
【０００５】
一般的に、養液栽培には、養液成分を調整できる、連作障害を予防できる、生育が早く短期間で出荷できる、土壌などの付着がないため簡易に洗浄できる、収穫作業などの労力を軽減できる、などの利点がある。そのため、メロン・イチゴ・ナス・トマトなどの果菜類、ホウレンソウ・レタスなどの葉菜類などで養液栽培が広く実用化されている。また、植物工場では、養液栽培が採用されている。
【０００６】
しかし、ダイコン・ニンジン・ゴボウなどの根菜類や、根部を収穫対象とする薬用植物など、いわゆる根物作物では、根部を養液に浸漬した状態で栽培すると、細根が多数発生し、主根・不定根・根茎・塊茎などの収穫部位が充分に肥大しない。そのため、根物作物の養液栽培は、ほとんど実用化されていない。
【０００７】
本発明に関連する先行文献として、例えば、特許文献１には、立体物を周期的に槽内に出し入れして養液の水位を周期的に上下に変位させる水位変位手段を含む水耕栽培装置が、特許文献２には、根の先端部分を培養液に浸しつつ、根の先端以外の部分を培養液に浸さずに培養する根菜類の水耕栽培方法が、特許文献３には、根菜類などを収穫するための、傾斜させたベッドを用いた養液栽培システムが、特許文献４には、根から自身に対する成長抑制物質を放出する目的植物と、当該目的植物の成長を助成する助成植物とを、異なる水耕栽培区域にて栽培し、これらの区域間で水を流動させる水耕栽培方法が、特許文献５には、培養液の液面を所定時間毎に上下動させるゴボウの水耕栽培方法が、それぞれ記載されている。
【特許文献１】特開平７−１７７８２９号公報
【特許文献２】特開２００５−９１号公報
【特許文献３】特開２００７−４９９５７号公報
【特許文献４】特開２００４−２６７１４０号公報
【特許文献５】特開平１０−４１号公報
【発明の開示】
【発明が解決しようとする課題】
【０００８】
上述の通り、いわゆる根物作物では、根部を養液に浸漬した状態で栽培すると、細根が多数発生し、主根・不定根・根茎・塊茎などの収穫部位が充分に肥大しない。そのため、根物作物の養液栽培は、ほとんど実用化されていない。
【０００９】
そこで、本発明は、根物作物において、根部の収穫部位を肥大させることのできる新規養液栽培手段を提供することなどを目的とする。
【課題を解決するための手段】
【００１０】
本発明では、養液を貯留する栽培槽と、該栽培槽内に略鉛直方向に形成され、上端開口部に植物体を設置する一又は複数の筒状部と、前記栽培槽内の養液の水位を変動させる水位変動手段と、を備えた根物作物の養液栽培システム、及び、同様の養液栽培方法を提供する。
【００１１】
まず、養液を貯留する栽培槽内に一又は複数の筒状部を略鉛直方向に形成し、根部が筒状部内を伸長するように筒状部の上端開口部に植物体を設置することにより、根物作物の根部が曲がったり二股に分かれたりすることを防止でき、直根の収穫物を得ることができる。また、一つの筒状部に一つの植物体を定植することにより、隣接する植物体の根部が絡むことを防止でき、他株の影響による収穫物の形状悪化を防止できる。その他、収穫作業を簡易かつ低労力で行うことができるという有利性もある。
【００１２】
加えて、栽培槽内の養液の水位を変動させ、間欠的に根部に乾燥ストレスを与えることにより、細根の発生を抑制し、主根・不定根・根茎・塊茎などの収穫部位を充分に肥大させることができる。
【００１３】
例えば、栽培槽に定植構造体を設置し、定植構造体に設けられた貫通部に筒状体を挿嵌することにより、若しくは定植構造体に略鉛直方向の貫通孔を設けることにより、筒状部を形成する。
【００１４】
定植構造体を、養液に対して浮遊する軽量部材で形成し、例えば、定植構造体に上方から圧力を加えて軽量部材を下方に移動させることにより、養液の水位を変動させる水位変動手段を備えた構成にしてもよい。
【００１５】
定植構造体を下方に移動させる手段として、例えば、下記（１）又は（２）のいずれかの構成にすることができる。
（１）線状部材を定植構造体に張架し、該線状部材の両端を栽培槽の略対面する位置に固定するとともに、線状部材の少なくとも一端に巻き取り手段を設置し、線状部材を巻き取ることにより軽量部材を下方に移動させる構成。
（２）略水平方向に形成された押し下げ部材と、該押し下げ部材を上下へ移動させる昇降手段とを備え、前記昇降手段で前記押し下げ部材を下方へ移動させることにより、前記押し下げ部材が前記定植構造体を押し下げる構成。
【００１６】
定植構造体を下方に移動させ、養液の水位を変動させる手段を採用することにより、定植構造体の体積分の養液を減量でき、貯液タンクなどの養液関連設備の規模を縮小できる。また、水位を変動させる際のポンプなどが不要になるほか、栽培槽を大型化させても速やかな水位変動が可能になるという利点がある。その他、軽量の部材を用いるため、設置・交換・除去などの取扱いやメンテナンスなどが容易である、水位変動には不充分な給排水設備しか有さない既存の設備（例えば、プール、貯水槽）などにも適用できる、などの利点もある。
【００１７】
この養液栽培システムでは、前記筒状部の上端開口部に延設する内面略筒状の延長部材を設置することにより、若しくは前記筒状体を長いものと交換することにより、前記筒状部の長さを延長できる構成にしてもよい。例えば、根部が栽培槽の底面近くまで伸長した際に、筒状部の長さを延長して養液栽培を行うことにより、延長した長さだけ、さらに根部を生長・伸長させることができる。これにより、根物作物の場合、根部の伸長にあわせた栽培が可能であり、より長く大きい収穫物を得ることができる。
【００１８】
その他、この養液栽培システムでは、所定の容積を有する充填部材を設置してもよい。例えば、栽培槽内で栽培には利用されていない部分に充填部材を設置して、栽培槽内の容積を減らすことにより、その体積分の養液を減量でき、貯液タンクなどの養液関連設備の規模を縮小できる。
【発明の効果】
【００１９】
本発明により、根物作物において、細根の発生を抑制し、主根などの収穫部位を肥大させることができ、良好な収穫物を取得できる。
【発明を実施するための最良の形態】
【００２０】
＜本発明に係る養液栽培システムについて＞
本発明は、養液を貯留する栽培槽と、該栽培槽内に略鉛直方向に形成され、上端開口部に植物体を設置する一又は複数の筒状部と、前記栽培槽内の養液の水位を変動させる水位変動手段とを少なくとも備えた養液栽培システム、並びに該システムを備える装置をすべて包含する。以下、図１〜図８を用いて説明する。
【００２１】
図１は、本発明に係る養液栽培システムの例を示す断面模式図である。
【００２２】
図１の養液栽培システムＡでは、養液Ｗを貯留する栽培槽１と、栽培槽１内に略鉛直方向に形成され、上端開口部に植物体Ｐを設置する複数の筒状部３と、栽培槽１内の養液Ｗの水位を変動させる水位変動手段４とを備える。
【００２３】
栽培槽１には定植構造体２が設置され、筒状部３が、定植構造体２に設けられた貫通部２１に筒状体３１を挿嵌することにより形成されている。植物体Ｐの設置は、茎の下の部分（根部Ｐ１の少し上の部分）を支持部材３２により支持し、その支持部材３２を筒状部３の上端開口部に載置することにより、行われている。
【００２４】
栽培槽１は、養液Ｗを貯留する部位である。栽培槽１は、公知のものを広く利用でき、特に限定されない。また、材質は、特に限定されないが、長期間、養液Ｗを貯留しても劣化の少ないものが好ましい。例えば、熱可塑性樹脂（例えば、高密度ポリエチレン、ポリプロピレン、ポリ塩化ビニル、ポリスチレン、ＡＢＳ樹脂、ＡＳ樹脂、アクリル樹脂など）製のもの、発泡性樹脂（発泡ポリスチレン、発泡ポリプロピレン、発泡ポリウレタンなど）製のものなどを利用できる。
【００２５】
また、大規模に貯水可能な既存の設備、例えば、プール、貯水槽などを用いてもよい。これにより、使用頻度の少ない既存の設備を有効利用できるほか、建設コストを低減でき、簡易かつ低コストで根物作物の大規模栽培を実施できる。
【００２６】
定植構造体２は、筒状部３を形成するための構造体である。定植構造体２は、システム構成・用途などに応じて、水よりも比重の低いもの、水と比重が同程度のもの、水よりも比重の高いものを適宜選択して用いることができる。
【００２７】
定植構造体２の材質は、公知のものを用いることができ、特に限定されないが、一定の強度を有し、外力によって変形せず、耐水性があり、長期間の栽培によっても溶解・腐食しない素材が好ましい。例えば、発泡性樹脂（発泡スチロール、ポリスチレンフォーム、発泡ポリプロピレン、硬質発泡ウレタンなど）製のもの、軽量プラスチック、木材、同形状のポリタンクなどは、比較的安価で、目的の形状に成形・加工しやすく、耐久性にも優れ、好適である。また、例えば、これらの材質に、重りなどを取り付け、比重を調節してもよい。
【００２８】
その他、例えば、栽培槽１の蓋部材を定植構造体２として用いて、その蓋部材に設けられた貫通部２１に筒状体３１を挿嵌する構成にしてもよい（図示せず）。この場合、筒状体３１を自立させることができる、システム構成・設置作業を簡易化できるという利点がある。
【００２９】
筒状部３は、その上端開口部に植物体を設置し、植物体の根部をその筒内で伸長させる部位である。上述の通り、栽培槽１内に一又は複数の筒状部３を略鉛直方向に形成し、根部Ｐ１が筒状部３内を伸長するように筒状部３の上端開口部に植物体Ｐを設置することにより、根物作物の根部が曲がったり二股に分かれたりすることを防止でき、直根の収穫物を得ることができる。また、一つの筒状部３に一つの植物体Ｐを定植することにより、隣接する植物体の根部が絡むことを防止でき、他株の影響による収穫物の形状悪化を防止できる。その他、収穫作業を簡易かつ低労力で行うことができるという有利性もある。
【００３０】
筒状部３は、養液Ｗが下端開口部などから自由に出入りでき、栽培槽１内の水位と筒状部３内の水位がほぼ同じになるように形成されていればよい。例えば、図１に示すように、定植構造体２に設けられた貫通部２１に筒状体３１を挿嵌することにより形成してもよいし、若しくは定植構造体２に、直接、略鉛直方向の貫通孔を設けることにより形成してもよい。なお、筒状体３１で筒状部３を形成する場合、水位変動などによっても筒状体３１が倒れない状態で設置できるのであれば、貫通部２１と筒状体３１の径を必ずしも精密に合わせて挿嵌する必要はなく、例えば、筒状体３１が貫通部２１に少なくとも遊嵌されている状態であればよい。
【００３１】
筒状部３の長さ・径の大きさは、植物種や根部（収穫部）Ｐ１の長さに応じて、適宜設定する。例えば、筒状部３の長さは１０ｃｍ〜１ｍ、孔径は直径２〜２０ｃｍが好適である。なお、筒状体３１を用いる場合、その材質については、塩化ビニル管など、略筒型形状を有する公知のものを広く用いることができる。
【００３２】
また、固形培地を筒状部３内に保持でき、かつ養液が筒状部３内外を自由に出入できる底受け部を、筒状部３の底部又はその近傍に形成させ、固形培地耕を行うことができる構成にしてもよい。底受け部は、養液が自由に出入でき、かつ固形培地の流出を防止できるものであればよい。例えば、筒状部３の底部に網状体、板状体に複数の小孔を設けたもの、浸水性シートなどの公知の部材を設置して底受け部を形成してもよいし、筒状体３１を用いる場合、その一端が閉じられて底部が形成されたものを用いるとともに、その底部に複数の小孔を設けることにより底受け部を形成してもよい。
【００３３】
用いる固形培地としては、水に不溶性のものであれば無機培地・有機培地を問わず公知のものを用いることができ、特に限定されない。例えば、無機培地として、砂、れき（礫）、ロックウール、パミスサンド、バーミキュライト、パーライト、ハイドロボール、セラミック、もみ殻くん炭、粒状フェノール樹脂などを、有機培地として、ピートモス、ココヤシ繊維、樹皮培地、もみ殻などを用いることができる。
【００３４】
支持部材３２は、植物体Ｐを支持する部位である。支持部材３２の材質は、合成樹脂製の板状物など、公知のものを用いることができる。例えば、支持部材３２の中心付近に孔をあけ、植物体Ｐの茎の下の部分（根部Ｐ１の少し上の部分）に綿やウレタンスポンジなどを巻きつけ、支持部材３２の孔に差し込み、植物体を支持する。そして、植物体Ｐが支持された支持部材３２を筒状部３の上端開口部に載置し、植物体Ｐを設置する。
【００３５】
水位変動手段４は、養液Ｗの水位を調節する部位である。上述の通り、栽培槽１内の養液Ｗの水位Ｗ１を変動させ、間欠的に根部Ｐ１に乾燥ストレスを与えることにより、細根の発生を抑制し、主根・不定根・根茎・塊茎などの収穫部位を充分に肥大させることができる。
【００３６】
図１では、水位変動手段４は、養液Ｗを栽培槽１内に供給する養液供給手段４１と、養液Ｗを栽培槽２の外に排出する養液排出手段４２とから構成される。
【００３７】
植物体Ｐの根部Ｐ１を養液Ｗに浸漬させたい場合は、養液供給手段４１から養液を供給し（矢印Ｘ１）、栽培槽１内を養液Ｗで満たすようにし、根部Ｐ１に乾燥ストレスを与えたい場合は、養液排出手段４２により、栽培槽１内から養液Ｗを排出する（矢印Ｘ２）。
【００３８】
養液供給手段４１は、公知の手段、例えば、供給ポンプなどを用いることができる。養液排出手段４２も、公知の手段、例えば、排水ポンプ、サイフォン方式による排出などを適用できる。
【００３９】
その他、例えば、水位センサー、タイマーなどを用いて、養液の供給・排水の時間、タイミングなどを制御にしてもよい。その場合、電磁弁などを用いて、給排水を制御してもよい。また、制御部に接続することにより、養液の水位変動の時間、養液の給排水速度、タイミングなどを自動制御することもできる。
【００４０】
養液Ｗは、水若しくは肥料・各種栄養素などを溶解した水であり、栽培槽１に貯留される。養液Ｗには、栽培する植物種などに応じて、公知のものを適宜利用できる。
【００４１】
植物Ｐの種類は、特に限定されないが、本発明は、例えば、根菜類や、根部を収穫対象とする薬用植物など、いわゆる根物作物に適用できる。
【００４２】
根菜類として、例えば、ダイコン、ニンジン、ゴボウなどが挙げられる。
【００４３】
根部を収穫対象とする薬用植物として、例えば、ウラルカンゾウ（学名「Glycyrrhiza uralensis」）、スペインカンゾウ（学名「Glycyrrhiza
glabra」）、ベラドンナ（学名「Atropa belladonna」）、トウキ（学名「Angelica acutiloba」）、ヨロイグサ（学名「Angelica
dahurica」）、シシウド（学名「Angelica pubescens」）、ウスバサイシン（学名「Asiasarum sieboldii」）、ケイリンサイシン（学名「Asiasarum
heterotropoides var.mandshuricum」）、クサスギカズラ（学名「Asparagus
cochinchinensis」）、キバナオウギ（学名「Astragalus membranaceus」）、モウコオウギ（学名「Astragalus mongholicus」）、ヒナタイノコズチ（学名「Achyranthes fauriei」）、トウゴシツ（学名「Achyranthes bidentata」）、ミシマサイコ（学名「Bupleurum falcatum」）、トコン（学名「Cephaelis
ipecacuanha」）、サキシマボタンヅル（学名「Clematis chinensis」）、ゲンチアナ（学名「Gentiana lutea」）、トウリンドウ（学名「Gentiana scabra」）、ハマボウフウ（学名「Glehnia littoralis」）、コロンボ（学名「Jateorhiza
columba」）、テンダイウヤク（学名「Lindera strychnifolia」）、ムラサキ（学名「Lithospermum erythrorhizon」）、クコ（学名「Lycium
chinense」）、ナガバクコ（学名「Lycium barbatum」）、マグワ（学名「Morus alba」）、ジャノヒゲ（学名「Ophiopogon japonicus」）、シャクヤク（学名「Paeonia lactiflora」）、ボタン（学名「Paeonia
suffruticosa」）、オタネニンジン（学名「Panax ginseng」）、キキョウ（学名「Platycodon grandiflorum」）、セネガ（学名「Polygala
senega」）、イトヒメハギ（学名「Polygala tenuifolia」）、クズ（学名「Pueraria lobata」）、アカヤジオウ（学名「Rehmannia
glutinosa var. purpurea」）、カイケイジオウ（学名「Rehmannia
glutinosa f. hueichigensis」）、ボウフウ（学名「Saposhnikovia
divaricata」）、モッコウ（学名「Saussurea lappa」）、コガネバナ（学名「Scutellaria baicalensis」）、クララ（学名「Sophora
flavescens」）、キカラスウリ（学名「Trichosanthes
kirilowii」）、インドジャボク（学名「Rauwolfia
serpentina」）、カノコソウ（学名「Valeriana fauriei」）、ツルドクダミ（学名「Polygonum multiflorum」）、オウレン（学名「Coptis
japonica」）、コプティス・キネンシス（学名「Coptis chinensis」）、コプティス・デルトイデア（学名「Coptis deltoidea」）、リョウキョウ（学名「Alpinia
officinarum」）、ハナスゲ（学名「Anemarrhena asphodeloides」）、ウド（学名「Aralia
cordata」）、オケラ（学名「Atractylodes japonica」）、オオバナオケラ（学名「Atractylodes ovata」）、ホソバオケラ（学名「Atractylodes
lancea」）、サラシナショウマ（学名「Cimicifuga simplex」）、ホクショウマ（学名「Cimicifuga dahurica」）、カンショウマ（学名「Cimicifuga
heracleifolia」）、センキュウ（学名「Cnidium officinale」）、ウコン（学名「Curcuma longa」）、ガジュツ（学名「Curcuma zedoaria」）、ハマスゲ（学名「Cyperus rotundus」）、ヤマノイモ（学名「Dioscorea
japonica」）、ナガイモ（学名「Dioscorea batatas」）、エゾウコギ（学名「Eleutherococcus senticosus」）、チガヤ（学名「Imperata
cylindrica」）、キョウカツ（学名「Notopterygium incisum」）、コウホネ（学名「Nuphar japonicum」）、トチバニンジン（学名「Panax
japonicus」）、ポドフィルム・ペルタツム（学名「Podophyllum
peltatum」）、ナルコユリ（学名「Polygonatum
falcatum」）、カギクルマバナルコユリ（学名「Polygonatum kingianum」）、ショウヨウダイオウ（学名「Rheum palmatum」）、ハシリドコロ（学名「Scopolia japonica」）、ショウガ（学名「Zingiber officinale」）、オクトリカブト（学名「Aconitum
japonicum」）、ハナトリカブト（学名「Aconitum carmichaeli」）、サジオモダカ（学名「Alisma orientale」）、エンゴサク（学名「Corydalis turtschaninovii f.
yanhusuo」）、オニノヤガラ（学名「Gastrodia elata」）、カラスビシャク（学名「Pinellia ternate」）、サンキライ（学名「Smilax glabra」）、アミガサユリ（学名「Fritillaria verticillata var. thunbergii」）などが挙げられる。
【００４４】
図２は、本発明に係る養液栽培システムの別の例を示す外観斜視模式図、図３は、同断面模式図である。
【００４５】
図２及び図３の養液栽培システムＡ’では、筒状部３が、定植構造体２に直接略鉛直方向の貫通孔を設けることにより形成されるとともに、定植構造体２が養液Ｗに対して浮遊する軽量部材で形成され、該定植構造体２を下方に移動させることにより、養液Ｗの水位を変動させる水位変動手段４を備える。
【００４６】
また、この養液栽培システムＡ’では、定植構造体２を下方に移動させる手段として、線状部材４３を定植構造体２に張架し、該線状部材４３の両端をそれぞれ栽培槽１の略対面する位置４４、４５に固定するとともに、線状部材４３の少なくとも一端４５に巻き取り手段４６を設置し、線状部材４３を巻き取ることにより定植構造体２を下方に移動させる構成を採用している。
【００４７】
この構成により、線状部材４３が緩和している状態では、定植構造体２が養液Ｗに対し浮上するため（符号Ｘ３）、植物体Ｐの根部Ｐ１はほとんど養液Ｗに浸漬していない状態となる。即ち、線状部材４３が緩和することにより、植物体Ｐの根部Ｐ１に乾燥ストレスを与えることができる。
【００４８】
一方、巻き取り手段４６で線状部材４３を巻き取り、緊張状態とすると、定植構造体２は下方に押し下げられるため（符号Ｘ３）、植物体Ｐの根部Ｐ１が養液Ｗに浸漬した状態となる。
【００４９】
従って、巻き取り手段４６を用いて、線状部材４３の緊張状態と緩和状態を調節することにより、植物体Ｐの根部Ｐ１に対し、養液供給と乾燥ストレス負荷の両方を行うことができる。
【００５０】
これにより、定植構造体２の体積分の養液を減量でき、貯液タンクなどの養液関連設備の規模を縮小できる。また、水位を変動させる際のポンプが不要になるほか、栽培槽を大型化させても速やかな水位変動が可能になるという利点がある。その他、軽量の部材を用いるため、設置・交換・除去などの取扱いやメンテナンスなどが容易である、水位変動には不充分な給排水設備しか有さない既存の設備（例えば、プール、貯水槽）などにも適用できる、などの利点もある。
【００５１】
定植構造体２で採用する軽量部材は、公知の材料を用いることができ、特に限定されないが、水よりも比重の低く、外力の無い状態で水に浮く素材が好ましい。また、一定の強度を有し、外力によって変形せず、耐水性があり、長期間の栽培によっても溶解・腐食しない素材が好ましい。例えば、発泡性樹脂（発泡スチロール、ポリスチレンフォーム、発泡ポリプロピレン、硬質発泡ウレタンなど）製のもの、軽量プラスチック、木材、同形状のポリタンクなどは、比較的安価で、目的の形状に成形・加工しやすく、耐久性にも優れ、好適である。
【００５２】
なお、定植構造体２にポリタンクを用いることには、適宜注水・排水することにより比重を制御できるという利点がある。その他、例えば、設置・交換・除去・メンテナンス時などには排水することで軽量化できる。また、例えば、水位変動時などには注水して定植構造体２と水の比重を近似させることにより、システムへの重量負荷を軽減でき、若しくはシステムを小型化できる。
【００５３】
線状部材４３は、定植構造体２の浮力に耐えうる強度を有していればよく、その材質などは特に限定されない。例えば、金属製のワイヤーや合成樹脂製のベルト・紐状物などを用いることができる。
【００５４】
線状部材４３を栽培槽１の所定の外壁部分に固定する手段についても、公知の技術で行うことが可能である。例えば、掛け具などで係止する、金具などを栽培槽１に打設してその部分に線状部材４３を締結するなどの手段を採用できる。また、巻き取り手段４６が設けられている部分では、巻き取り手段４６に直接固定すればよい。
【００５５】
巻き取り手段４６については、線状部材４３を巻き取ることができればよく、その構成などは特に限定されない。また、巻き取り手段４６は、一か所に設置されている場合のみに狭く限定されず、複数個所に設置されている場合も広く包含される。例えば、モーター装置などで巻き取る構成にすることにより、簡易な操作で制御可能となる。また、制御部に接続することにより、養液の水位変動の時間、タイミングなどを自動制御することもできる。
【００５６】
栽培槽１に貯留する養液Ｗの量は、特に限定されない。例えば、図３のように、外力の無い状態で完全に水に浮く軽量素材を定植構造体２に用いるとともに、筒状部３（植物体Ｐの根部Ｐ１）の長さと定植構造体２の高さがほぼ同じになるようにし、かつ線状部材４３が最も緊張した状態（定植構造体２が最も下がった状態）の時に満水位になるように養液Ｗを貯留することにより、線状部材４３の緩和時には根部Ｐ１が養液Ｗに浸らず、緊張時には根部Ｐ１が養液Ｗに完全に浸漬するように構成できる。
【００５７】
図４は、本発明に係る養液栽培システムのさらに別の例を示す外観斜視模式図、図５は、同断面模式図である。
【００５８】
図４及び図５の養液栽培システムＡ’’では、筒状部３が、定植構造体２に設けられた貫通部２１に筒状体３１を挿嵌することにより形成され、支持部材３２が筒状部３の上端開口部に載置され、植物体Ｐが設置されているとともに、水位変動手段４として、略水平方向に形成された押し下げ部材４７と、押し下げ部材４７を上下へ移動させる昇降手段５０とを備え、昇降手段５０で押し下げ部材４７を下方へ移動させることにより、押し下げ部材４７が定植構造体２を押し下げる構成を備えている。また、養液栽培システムＡ’’では、定植構造体２に軽量部材を用いている。
【００５９】
この構成により、例えば、昇降手段５０により、押し下げ部材４７を上方へ移動させた場合には（符号Ｘ４）、定植構造体２が浮上し、植物体Ｐの根部Ｐ１に乾燥ストレスを与えることができる。
【００６０】
一方、昇降手段５０により、押し下げ部材４７を下方へ移動させた場合には（符号Ｘ４）、押し下げ部材４７が定植構造体２を押し下げ、定植構造体２が養液Ｗ内に沈み、植物体Ｐの根部Ｐ１が養液Ｗに浸漬した状態となる。
【００６１】
従って、昇降手段５０を用いて、押し下げ部材４７の高さを調節することにより、植物体Ｐの根部Ｐ１に対し、養液供給と乾燥ストレス負荷の両方を行うことができる。
【００６２】
これにより、上記と同様、定植構造体２の体積分の養液を減量でき、貯液タンクなどの養液関連設備の規模を縮小できる。また、水位を変動させる際のポンプが不要になるほか、栽培槽を大型化させても速やかな水位変動が可能になるという利点がある。その他、軽量の部材を用いるため、設置・交換・除去などの取扱いやメンテナンスなどが容易である、水位変動には不充分な給排水設備しか有さない既存の設備（例えば、プール、貯水槽）などにも適用できる、などの利点もある。
【００６３】
押し下げ部材４７は、水位変動を行う際に定植構造体２を押し下げることができる形状の部材であればよい。例えば、定植構造体２の上方に略水平方向に形成された枠体、棒状物などを設置し、定植構造体２を押し下げる際には、押し下げ部材４７を下方に移動させ、定植構造体２の上面に圧力を加えて定植構造体２を押し下げる構成にしてもよい。また、略水平方向に形成された枠体、棒状物などを定植構造体２に固定などしておき、定植構造体２を押し下げる際には、押し下げ部材４７を下方に移動させ、定植構造体２に下方への圧力を加えて定植構造体２を押し下げる構成にしてもよい。
【００６４】
押し下げ部材４７の材質も、定常構造体２を押し下げる際の負荷に耐えうるものであればよく、特に限定されない。例えば、金属製、ステンレス製、合成樹脂製のものなどを用いることができる。
【００６５】
昇降手段５０については、押し下げ部材４７を上下に移動させることができる構成であればよく、公知の技術を用いることができ、特に限定されない。例えば、ラック・アンド・ピニオン（ｒａｃｋ  ａｎｄ  ｐｉｎｉｏｎ）方式により、ラック４８とピニオン４９を組み合わせ、押し下げ部材４７を上下へ移動させる構成にしてもよい。その場合、例えば、リニアヘッドなどを用いて作動させることにより、簡易な操作で制御可能となる。また、制御部に接続することにより、養液の水位変動の時間、タイミング、昇降速度などを自動制御することもできる。
【００６６】
図６は、本発明に係る養液栽培システムのさらに別の例を示す断面模式図である。
【００６７】
図６の養液栽培システムＡ’’’では、定植構造体２に略鉛直方向に気体貯留部２２が形成されるとともに、気体貯留部２２に気体Ｇを供給する気体供給手段５１と、気体貯留部２２の上端開口部に装着された開閉手段５２とを備える水位変動手段４を有する。
【００６８】
開閉手段５２を閉鎖した状態で気体供給手段５１より気体Ｇが供給されると、気体Ｇは気体貯留部２２に貯留する。これにより、定植構造体２に浮力が生じ（矢印Ｘ６）、植物体Ｐの根部Ｐ１はほとんど養液Ｗに浸漬していない状態となる。即ち、気体貯留部２２に気体を貯留させることにより、植物体Ｐの根部Ｐ１に乾燥ストレスを与えることができる。
【００６９】
一方、開閉手段５２を開放して、気体貯留部２２に貯留する気体Ｇを排出すると、定植構造体２が自重で沈み（符号Ｘ６）、植物体Ｐの根部Ｐ１が養液Ｗに浸漬した状態となる。
【００７０】
従って、気体供給手段５１と開閉手段５２を備えた水位変動手段４を用いることにより、植物体Ｐの根部Ｐ１に対し、養液供給と乾燥ストレス負荷の両方を行うことができる。なお、この養液栽培システムＡ’’’には、エアレーションにより養液Ｗの溶存酸素を向上できるという有利性がある。
【００７１】
この場合、定植構造体２は、水よりも比重がやや高く、外力の無い状態で水にゆっくり沈む素材が好ましい。例えば、上記と同様の素材に、重りなどを取り付け、比重を調節して用いてもよい。
【００７２】
気体供給手段５１は、気体を供給する部位であり、エアポンプ、エアコンプレッサー（空気圧縮供給機）、エアボンベなど、公知のものを用いることができる。気体Ｇには、例えば、一般的な空気（大気）を用いればよい。
【００７３】
開閉手段５２は、気体貯留部２２を閉鎖し、同部位に気体Ｇを貯留させるためのものである。開閉手段５２は、通常の合成樹脂製の密閉栓など、手動で設置するものも含め、公知のものを広く採用できる。また、例えば、開閉手段５２を電磁弁で構成することにより、簡易な操作で制御可能となる。その他、気体供給手段５１及び電磁弁を制御部に接続することにより、養液の水位変動の時間、タイミングなどを自動制御することもできる。
【００７４】
図７は、本発明に係る養液栽培システムに延長部材を設置した例を示す断面模式図である。
【００７５】
図７では、図５に示す養液栽培システムＡ’’のうち、根部Ｐ１が特に伸長した植物体Ｐ（符号Ｐ１’）に対し、筒状部３の上端開口部に延設する内面略筒状の延長部材６を設置している。
【００７６】
例えば、植物体Ｐの根部Ｐ１が栽培槽の底面近くまで伸長した際に、筒状部３の上端開口部に延設する内面略筒状の延長部材６を設置して筒状部３の長さを栽培槽１の深さよりも長く延長することにより、延長した長さだけ、さらに根部Ｐ１を生長・伸長させることができる。これにより、根物作物の場合、根部の伸長にあわせた栽培が可能であり、より長く大きい収穫物を得ることができる。
【００７７】
なお、延長部材６を用いた場合、根部Ｐ１の上部が水位Ｗ１の変動に関わらず養液Ｗに浸漬されない状態になるが、根部Ｐ１の下部は満水位の際には養液Ｗに浸漬されており、養水分が根部Ｐ１に供給されるため、根部Ｐ１の上部も肥大を続ける。また、薬用植物において、その有効成分が水溶性である場合、根部Ｐ１の上部が常に養液Ｗに浸漬されないため、その部分の有効成分の含有量が増大し、目的の薬効成分を多く回収できる。
【００７８】
延長部材６は、例えば、上述の筒状体３１と同様のものを、植物体Ｐと筒状部３の間に設置して用いてもよいし、定植構造体２と同様の部材に貫通孔を形成し、それを植物体Ｐと筒状部３の間に設置して用いてもよい。延長部材６の材質も、それらと同様のものを用いることができる。
【００７９】
延長部材６の大きさ・長さは、定植構造体２、筒状部３、植物体Ｐの根部Ｐ１の長さなどに応じて、適宜設定する。例えば、延長部材６の内面の孔径は筒状部３の孔径とほぼ同じにすることが好ましい。延長部材６の長さは、例えば、１０ｃｍ〜５０ｃｍが好適であり、また、複数の延長部材６を連設させて長さを調節してもよい。
【００８０】
延長部材６の設置方法は、例えば、筒状部３の上端開口部に延長部材６を載置するだけでもよく、また、筒状部３に延長部材６を挿嵌などして連結する構造にしてもよい。
【００８１】
その他、筒状部３の上端開口部に延設する内面略筒状の延長部材６を設置する代わりに、筒状体３１を長いものと交換することにより、筒状部３の長さを延長してもよい。この構成により、簡易な作業で筒状部３を延長できる。
【００８２】
図８は、二以上の栽培槽を用いて水位を変動させる養液栽培システムの例を示す断面模式図である。
【００８３】
図８の養液栽培システムでは、図１と同様の養液栽培システムＡが併設され、それぞれが、養液Ｗを貯留する栽培槽１と、定植構造体２に筒状体３１を挿嵌することにより、栽培槽１内に略鉛直方向に形成され、上端開口部に植物体Ｐが設置された複数の筒状部３と、を備える。
【００８４】
また、両システムＡ、Ａ間には、両栽培槽１、１内の養液Ｗを相互に移動させる水位交換手段５３と、両栽培槽１、１間を直接連結する導水管５４を備える水位調節手段４が設置されている。その他、栽培槽１内に、所定の容積を有する充填部材７が設置されている。
【００８５】
例えば、栽培槽１を併設し、一方の栽培槽１では、植物体Ｐの根部Ｐ１が養液Ｗに浸漬された状態にし、もう一方の栽培槽１では、植物体Ｐの根部Ｐ１に乾燥ストレスを与えた状態にする。
【００８６】
次に、水位交換手段５３により、養液Ｗをもう一方の栽培槽１に移動させる。これにより、そちらの植物体Ｐの根部Ｐ１が養液Ｗに浸漬された状態になり、養液Ｗに浸漬されていた方の植物体Ｐには、乾燥ストレスが負荷される。
【００８７】
そして、水位交換手段５３による養液Ｗの移動を一定周期ごとに行い、その水位Ｗ２、Ｗ３を交互に変動させることにより、それぞれの栽培槽１、１における両方の植物体Ｐに対し、養液供給と乾燥ストレス負荷を交互に行うことができる。なお、養液Ｗの水位交換は、例えば、５分〜１時間ごとに行うことが好適である。
【００８８】
これにより、両栽培槽１、１において、根物作物の主根などの収穫部位を肥大させることができ、良好な収穫物を取得できる。加えて、この構成にすることにより、養液の総量を理論的には半分に減らすことができるという利点がある。その他、貯水タンクなどが不要になるため、システム構成を簡略化でき、建設コストを低減でき、栽培面積を増大できる。
【００８９】
水位交換手段５３には、例えば、公知の給排水ポンプなどを用いることができる。例えば、水位センサー、タイマーなどを用いて、養液の供給・排水の時間、タイミングなどを制御にしてもよい。また、制御部に接続することにより、養液の水位変動の時間、タイミングなどを自動制御することもできる。
【００９０】
導水管５４は、両栽培槽１、１間に直接連結され、開閉手段を備え、開放時に養液Ｗが通過する部位である。例えば、両栽培槽１、１間の水位交換を行う際に、導水管５４を開放することにより、水位差で、両栽培槽１、１の水位が同じになるまで養液が移動する。これにより、水位交換手段５３におけるポンプなどの負担軽減、水位変動時間の短縮、消費電力の低減などが可能になる。
【００９１】
導水管５４は、開閉手段を備えているものであればよく、公知の塩化ビニル管、金属管などを用いることができる。開閉手段としては、公知の弁構造などを適宜採用できる。また、開閉手段に電磁弁を用いるとともに、制御部に接続することにより、水位交換手段５３と連動した水位交換の自動制御が可能である。
【００９２】
充填部材７は、所定の容積を有する部材である。栽培槽１内に、所定の容積を有する充填部材７を設置することにより、栽培槽１内の容積を減らし、用いる養液Ｗの量を低減できる。
【００９３】
例えば、栽培槽１が大きい場合、大量の養液Ｗが必要になる。また、その場合、水位を変動させる際などにおけるポンプなどに対する容量負担が大きくなり、初期コスト・ランニングコストが高くなる。これに対し、栽培槽１内に充填部材７を設置することにより、充填部材７の容量分だけ、養液量、水位変動手段に対する容量負担を低減できる。
【００９４】
充填部材７は、所定の容積を有していればよく、その材質などは特に限定されない。例えば、定植構造体２などと同様の材質のものをそのまま用いたり、それらの部材に穴などをあけて用いたりしてもよい。また、例えば、ポリタンクなどに注水して比重を調節し、用いてもよい。充填部材７にポリタンクを用いることには、設置・交換・除去・メンテナンス時などの作業負担が少ないなどの利点がある。これらの充填部材７を、例えば、栽培槽１内に載置したり、所定の位置で固定して用いる。
【００９５】
その他、例えば、複数の栽培槽１を階段状に並べて設置し、上流の栽培槽１から順次下流の栽培槽１へ養液を移動させることにより、各栽培槽１が、一つ置きに、植物体Ｐの根部Ｐ１が養液Ｗに浸漬された状態と植物体Ｐの根部Ｐ１に乾燥ストレスを与えた状態とを繰り返すように構成にしてもよい。
【００９６】
この場合、最も上流側の栽培槽１へは、最も下流側の栽培槽１からポンプなどの送液手段で養液Ｗを汲み上げることにより、養液Ｗを供給する。この構成の場合、最も上流側の栽培槽１へ送液する場合以外は、重力により、エネルギーを用いずに各栽培槽１の水位を変動できる。
【００９７】
＜本発明に係る養液栽培方法＞
本発明に係る根物作物の養液栽培方法は、養液を貯留する栽培槽内に一又は複数の筒状部を略鉛直方向に形成し、根部が筒状部内を伸長するように筒状部の上端開口部に植物体を設置し、栽培槽内の養液の水位を変動させ、間欠的に根部に乾燥ストレスを与えるものをすべて包含する。
【００９８】
上述の通り、筒状部内で根物作物を栽培することにより、根物作物の根部が曲がったり二股に分かれたりすることを防止でき、直根の収穫物を得ることができる。また、一つの筒状部に一つの植物体を定植することにより、隣接する植物体の根部が絡むことを防止でき、他株の影響による収穫物の形状悪化を防止できる。
【００９９】
加えて、栽培槽内の養液の水位を変動させ、間欠的に根部に乾燥ストレスを与えることにより、細根の発生を抑制し、主根・不定根・根茎・塊茎などの収穫部位を充分に肥大させることができる。
【０１００】
例えば、栽培槽に定植構造体を設置し、筒状部を、定植構造体に設けられた貫通部に筒状体を挿嵌することにより、若しくは前記定植構造体に略鉛直方向の貫通孔を設けることにより形成されたものを用いて、根物作物の養液栽培を行ってもよい。
【０１０１】
また、定植構造体を、養液に対して浮遊する軽量部材で形成し、定植構造体を下方に移動させることにより、養液の水位を変動させるようにしてもよい。
【０１０２】
定植構造体を下方に移動させる手段として、例えば、下記（１）又は（２）のいずれかの手段を採用できる。
（１）線状部材を前記定植構造体に張架し、該線状部材の両端を前記栽培槽の略対面する位置に固定するとともに、前記線状部材の少なくとも一端に巻き取り手段を設置し、前記線状部材を巻き取る。
（２）略水平方向に形成された押し下げ部材と、該押し下げ部材を上下へ移動させる昇降手段とを備え、前記昇降手段で前記押し下げ部材を下方へ移動させることにより、前記押し下げ部材が前記定植構造体を押し下げる。
【０１０３】
定植構造体を下方に移動させ養液の水位を変動させることにより、定植構造体の体積分の養液を減量でき、貯液タンクなどの養液関連設備の規模を縮小できる。また、水位を変動させる際のポンプなどが不要になるほか、栽培槽を大型化させても速やかな水位変動が可能になるという利点がある。その他、軽量の部材を用いるため、設置・交換・除去などの取扱いやメンテナンスなどが容易である、水位変動には不充分な給排水設備しか有さない既存の設備（例えば、プール、貯水槽）などにも適用できる、などの利点もある。
【０１０４】
その他、この養液栽培方法は、筒状部の長さを延長して養液栽培を行う工程を含んでいてもよい。
【０１０５】
例えば、根部が栽培槽の底面近くまで伸長した際に、筒状部の上端開口部に延設する内面略筒状の延長部材を設置することにより、若しくは筒状体を長いものと交換することにより、筒状部を栽培槽の深さよりも長く延長して養液栽培を行うことにより、延長した長さだけ、さらに根部を生長・伸長させることができる。これにより、根物作物の場合、根部の伸長にあわせた栽培が可能であり、より長く大きい収穫物を得ることができる。
【０１０６】
水位変動時間は、栽培植物などによって異なるが、例えば、満水位（根部が養液に浸漬された状態）が約５分〜４８時間、排水位（根部に乾燥ストレスを負荷した状態）が約５分〜１時間で、満水位と排水位を交互に行うことが好ましい。
【０１０７】
その他、栽培水位、養液の組成なども、栽培植物に応じて適宜設定する。
【実施例１】
【０１０８】
実施例１では、水位変動法により、カンゾウ属の薬用植物であるウラルカンゾウの栽培を試みた。
【０１０９】
５０ｃｍ×５０ｃｍ×５０ｃｍの栽培槽内に、直径１０ｃｍ、高さ５０ｃｍの塩化ビニル管を９本、略鉛直方向に立設した。１０ｃｍ×１０ｃｍのプラスチックパネルの中心付近に孔をあけ、ウラルカンゾウの植物体の茎の下の部分ウレタンスポンジなどを巻きつけ、プラスチックパネルの孔に差し込んだ。そのパネルを塩化ビニル管の上端開口部に載置した。
【０１１０】
養液に大塚Ａ処方の等倍養液を用いて、養液水位の干満を繰り返しながら、３００日間栽培した。
【０１１１】
その結果、全ての株で、根部を肥大させることができた。根の肥大部の収量は、乾燥重量で１株当たり平均２００ｇ以上であり、土壌栽培の場合の約２０倍だった。
【実施例２】
【０１１２】
実施例２では、実施例１の養液栽培システムに延長部材を設置して、薬用植物ウラルカンゾウの栽培を継続した。
【０１１３】
実施例１において、根部が充分に肥大・伸長した株について、塩化ビニル管とプラスチックパネルの間に、直径１０ｃｍ、高さ５ｃｍの塩化ビニル管を計５本、根部の伸長に応じて順次挟んでいき、栽培を継続した。
【０１１４】
その結果、根部の長さが養液の深さを超えても、根部の肥大・伸長を継続させることができた。特に、根部のうち、満水位の際にも養液に浸漬されない部位についても、肥大・伸長が継続した。
【産業上の利用可能性】
【０１１５】
本発明は、根菜類や、根部を収穫対象とする薬用植物など、いわゆる根物作物の養液栽培に適用できる。上述の通り、養液栽培には、天候の影響が少なく安定的な生産が可能である、収穫・出荷時期を調整できる、養液成分を調整できる、連作障害を予防できる、生育が早く短期間で出荷できる、土壌などの付着がないため簡易に洗浄できる、収穫作業などの労力を軽減できる、などの利点がある。従って、露地栽培の多かった根物作物についても本発明により実用化可能な養液栽培を行うことができるという点で、本発明は産業上有用である。
【０１１６】
一般的に、薬用植物は、野生のものを収穫して用いる場合が多い。それに対し、近年、一部の薬用植物では、乱獲による環境破壊や資源の枯渇化の問題が顕在化している。本発明は、それらの薬用植物を養液栽培により安定供給できる可能性があるという点でも、産業上有用である。
【図面の簡単な説明】
【０１１７】
【図１】本発明に係る養液栽培システムの例を示す断面模式図
【図２】本発明に係る養液栽培システムの別の例を示す外観斜視模式図（線状部材を用いて水位変動を行う場合）。
【図３】本発明に係る養液栽培システムの別の例を示す断面模式図（線状部材を用いて水位変動を行う場合）。
【図４】本発明に係る養液栽培システムのさらに別の例を示す外観斜視模式図（昇降手段を用いて水位変動を行う場合）。
【図５】本発明に係る養液栽培システムのさらに別の例を示す断面模式図（昇降手段を用いて水位変動を行う場合）。
【図６】本発明に係る養液栽培システムのさらに別の例を示す断面模式図（気泡供給手段を用いて水位変動を行う場合）。
【図７】本発明に係る養液栽培システムに延長部材を設置した例を示す断面模式図。
【図８】二以上の栽培槽を用いて水位を変動させる養液栽培システムの例を示す断面模式図。
【符号の説明】
【０１１８】
１          栽培槽
２          定植構造体
３          筒状部
３１        筒状体
３２        支持部材
４          水位変動手段
４１        養液供給手段
４２        養液排出手段
４３        線状部材
４６        巻き取り手段
４７        押し下げ部材
５０        昇降手段
５１        空気供給手段
５２        開閉手段
５３        水位交換手段
５４        導水管
６          延長部材
７          充填部材
Ａ          養液栽培システム
Ｇ          気体
Ｐ          植物体
Ｐ１        植物体Ｐの根部
【図１】
0005611777.tif 000002
【図２】
0005611777.tif 000003
【図３】
0005611777.tif 000004
【図４】
0005611777.tif 000005
【図５】
0005611777.tif 000006
【図６】
0005611777.tif 000007
【図７】
0005611777.tif 000008
【図８】
0005611777.tif 000009